(57)【要約】【課題】分析器（１４０）の固形廃棄物用の固形廃棄物用袋ユニット（１２８）を提供すること。【解決手段】固形廃棄物用袋ユニット（１２８）は、袋体（１３０）と、挿入体（１００）と、を備え、挿入体（１００）は、袋体（１３０）内部に配置される。更に、分析器（１４０）並びに分析器（１４０）の固形廃棄物の除去方法も開示される。【選択図】図６
2017197290.tif 000002
【特許請求の範囲】
【請求項１】
分析器（１４０）の固形廃棄物用の固形廃棄物用袋ユニット（１２８）であって、
袋体（１３０）と、
前記袋体（１３０）内部に配置される挿入体（１００）と、を備え、
前記袋体（１３０）は、オートクレーブ処理が可能である材料から作られる、固形廃棄物用袋ユニット（１２８）。
【請求項２】
前記挿入体（１００）は、折り畳み可能である、請求項１に記載の固形廃棄物用袋ユニット（１２８）。
【請求項３】
前記袋体（１３０）は、可撓性材料から作られる、請求項２に記載の固形廃棄物用袋ユニット（１２８）。
【請求項４】
前記挿入体（１００）は、前記固形廃棄物用袋ユニット（１２８）が最低容量で折り畳み可能となるように折り畳み可能である、請求項２又は３に記載の固形廃棄物用袋ユニット（１２８）。
【請求項５】
前記挿入体（１００）は、前側壁部（１０４）と、後側壁部（１０６）と、２つの側壁部（１０８）と、を備え、
前記前側壁部（１０４）及び前記後側壁部（１０６）は、展開状態において互いに対向し、
前記２つの側壁部（１０８）は、前記展開状態において互いに対向する、請求項２乃至４のいずれか一項に記載の固形廃棄物用袋ユニット（１２８）。
【請求項６】
前記袋体（１３０）は、上部（１３２）と、下部（１３４）と、を備え、
前記上部（１３２）は、開口部（１３６）を備え、
前記挿入体（１００）は、前記下部（１３４）に配置される、請求項１乃至５のいずれか一項に記載の固形廃棄物用袋ユニット（１２８）。
【請求項７】
前記挿入体（１００）は、前記袋体（１３０）に固定される、請求項１乃至６のいずれか一項に記載の固形廃棄物用袋ユニット（１２８）。
【請求項８】
前記挿入体（１００）は、ボール紙又はプラスチック材料から作られる、請求項１乃至７のいずれか一項に記載の固形廃棄物用袋ユニット（１２８）。
【請求項９】
前記固形廃棄物用袋ユニット（１２８）は、オートクレーブ処理が可能である材料から作られ、
前記挿入体（１００）は、ボール紙又はプラスチック材料から作られる、請求項１乃至８のいずれか一項に記載の固形廃棄物用袋ユニット（１２８）。
【請求項１０】
消耗品を使用するように構成された分析装置（１４２）と、
請求項１乃至９のいずれか一項に記載の固形廃棄物用袋ユニット（１２８）と、を備える分析器（１４０）。
【請求項１１】
コンパートメント（１４４）を更に備え、
前記固形廃棄物用袋ユニット（１２８）は、前記コンパートメント（１４４）内部に設置される、請求項１０に記載の分析器（１４０）。
【請求項１２】
前記挿入体（１００）は、前記コンパートメント（１４４）に対して正確に嵌合又は滑合するような寸法を有する、請求項１１に記載の分析器（１４０）。
【請求項１３】
分析器（１４０）の固形廃棄物の除去方法であって、
請求項１乃至９に記載の固形廃棄物用袋ユニット（１２８）を設けるステップと、
前記分析器（１４０）のコンパートメント（１４４）内部に前記固形廃棄物用袋ユニット（１２８）を設置するステップと、
前記固形廃棄物用袋ユニット（１２８）内部に固形廃棄物を収集するステップと、
前記固形廃棄物用袋ユニット（１２８）が少なくとも部分的に充填されているときに、前記コンパートメント（１４４）から前記固形廃棄物用袋ユニット（１２８）を取り外すことによって固形廃棄物を除去するステップと、を含む方法。
【請求項１４】
前記挿入体（１００）は、折り畳み可能であり、
前記挿入体（１００）は、固形廃棄物用袋ユニット（１２８）が設けられているときには折畳状態にあり、
前記方法が、前記挿入体（１００）を展開するステップを更に含む、請求項１３に記載の方法。
【請求項１５】
前記挿入体（１００）は、前記固形廃棄物用袋ユニット（１２８）が前記コンパートメント（１４４）内部に設置されているときに展開される、請求項１４に記載の方法。
【発明の詳細な説明】
【技術分野】
【０００１】
本発明は、分析器の固形廃棄物用の固形廃棄物用袋ユニット、及び固形廃棄物用袋ユニットを備える分析器に関する。
【背景技術】
【０００２】
現代の分析器は、ハイスループット試料処理を可能とする自動試料処理システムに基づいている。当該システムによって、試料処理スループットの大幅な増加のみならず、分析不可能な試料の数の減少、及び手作業の必要性の低下が可能となり、試料処理中の操作者の「離席時間」の生産的利用が可能となる。
【０００３】
米国特許第８，３５７，５３８号において、プレ分析システムとしての自動分析器を開示する。当該システムは、操作中に、ピペット先端及びピペットラック等の複数の消耗品を使用する。ラックは、全てのピペットが取り外されると、１つ以上の固形廃棄物容器内部で保管可能である。更に、使用済みピペットは、固形廃棄物容量を最小限にするために廃棄される前に、ラック内部で保管可能である。通常、固形廃棄物用袋は、容器内に挿入されることによって、固形廃棄物を受ける。
【０００４】
このような自動分析器の使用によって、取り扱いについての利点をもたらす。それにもかかわらず、未だに幾つかの欠点がある。分析器内における使い捨て固形廃棄物用廃棄袋は、その機能が限定される。ロバスト性が限定され、当該袋の折り目によって容量が減少する。材料が厚くなればなるほど袋全体が固くなるという相関関係があり、結果として、容量が少なくなる。代案として、内部に袋体を有する段ボール箱が容量に関してはより優れているが、内部の袋体には、鋭く尖った消耗品によって穴が開く場合があり、側壁部のみがボール紙から作られ、底部がそうではないときには、液体が落ちる場合がある。
【先行技術文献】
【特許文献】
【０００５】
【特許文献１】米国特許第８，３５７，５３８号明細書
【発明の概要】
【発明が解決しようとする課題】
【０００６】
従って、本発明は、固形廃棄物用袋ユニットの改善、及びこのような改善された固形廃棄物用袋ユニットを備える分析器の提供を目的とする。
【課題を解決するための手段】
【０００７】
このような問題は、独立項の特徴を有する固形廃棄物用袋ユニット及び分析器によって解決される。単独又は任意の組み合わせで実現可能な本発明の実施形態が、従属項に開示される。
【０００８】
以下で使用されるように、用語「有する」、「備える」、若しくは「含む」（「ｈａｖｅ」「ｃｏｍｐｒｉｓｅ」若しくは「ｉｎｃｌｕｄｅ」）、又はそれらの文法上の変化形はいずれも、包括的に使用される。従って、これらの用語は、これらの用語によって示される特徴の他に、本明細書で述べられる要素に更なる特徴が存在しない状態と、１つ以上の更なる特徴が存在する状態と、の両方を言及することができる。一例として、「Ａは、Ｂを有する」、「Ａは、Ｂを備える」、及び「Ａは、Ｂを含む」という表現は、Ｂの他にＡに更なる要素が存在しない状態（即ち、Ａが唯一かつ排他的にＢから構成される状態）と、要素Ｃ、要素Ｃ及びＤ、又は更に別の要素等の、１つ以上の更なる要素がＢの他にＡに存在する状態と、の両方を言及することができる。
【０００９】
更に、用語「少なくとも１つ」、「１つ以上」、又はある特徴若しくは要素が１つ以上存在することを示す同様の表現は、一般的に、それぞれの特徴又は要素を紹介する際に一度だけ使用されるものである。以下において、多くの場合、それぞれの特徴又は要素に言及するときに、「少なくとも１つ」又は「１つ以上」という表現は、当該特徴又は要素が一度以上述べられる場合であっても繰り返されない。
【００１０】
本明細書において使用される用語「袋体」は、実験器具等の分析器の固形廃棄物を受けるように構成された任意の種類の袋体を示す。
【００１１】
本明細書において使用される用語「固形廃棄物」は、分析器の消耗品の消耗から生じる任意の種類の固形の廃棄物を示す。このような消耗品は、廃棄可能又は使い捨て製品である、ピペット先端、ラック、試料容器等である。
【００１２】
本明細書において使用される用語「挿入体」は、固形廃棄物を受けるように構成された任意の種類の容器を示す。特に、挿入体は、任意の鋭利な固形廃棄物の貫通に耐える材料から作られる。
【００１３】
本発明によれば、分析器の固形廃棄物用の固形廃棄物用袋ユニットは、袋体と、挿入体と、を備え、袋体は、袋体内部に配置される。従って、挿入体は、固形廃棄物が袋体の底部及び下側等の重要な部分において袋体と接触しないように、固形廃棄物用袋ユニット内に挿入される任意の固形廃棄物による貫通から袋体を保護するように構成される。言うまでもなく、挿入体が固形廃棄物に付着する任意の液体に接触する可能性がある場合には、挿入体は、液体に耐える必要があり、液体による分解から保護する必要がある。
【００１４】
挿入体は、折り畳み可能であってもよい。従って、挿入体が折畳状態にある場合には、組み合わされた袋体及び挿入体が、コンパクトに流通及び保管可能である。更に、挿入体は、使用直前に展開可能である。従って、固形廃棄物用袋ユニットは、その取り扱いが容易である。
【００１５】
袋体は、可撓性材料から作られてもよい。従って、袋体は、要求に応じて、コンパクト化及び膨張可能である。
【００１６】
特に、挿入体は、固形廃棄物用袋ユニットが最低容量で折り畳み可能となるように折り畳み可能である。従って、使用前には、固形廃棄物用袋ユニットは、その輸送及び保管を容易にするように可能な限り小さい。
【００１７】
挿入体は、前側壁部と、後側壁部と、２つの側壁部と、を備え、前側壁部及び後側壁部は、展開状態において互いに対向し、２つの側壁部は、展開状態において互いに対向してもよい。従って、挿入体は、その壁部が固形廃棄物用袋ユニットに対して剛性を付与するように使用中に安定する切り石状又は矩形状に配置可能である。
【００１８】
前側壁部及び後側壁部は、それぞれ、接続壁部により側壁部に接続可能である。従って、全ての壁は、互いに連なり、挿入体は、それで覆われる部分において固形廃棄物が袋体を損傷し得るいかなる隙間も有さない。
【００１９】
挿入体は、底部を更に備え、挿入体は、折畳状態において、前側壁部及び後側壁部が底部上に配置され、側壁部が底部に隣接して配置されるように、折り畳み可能である。従って、挿入体は、非常にコンパクトな形状に折り畳み可能である。
【００２０】
前側壁部、後側壁部、及び側壁部は、底部の中心部を押すことによって、折畳位置から展開位置に移動可能である。従って、挿入体は、１回の動作又は手の動きで展開可能である。
【００２１】
前側壁部及び後側壁部は、それぞれ、凹部を備え、凹部は、挿入体の折畳状態において開口部を形成し、底部の中心部は、折畳状態において開口部から露出可能である。従って、開口部を通じて中心部を容易に押すことが可能である。
【００２２】
凹部は、矩形状、多角形状、又は半円状に形成可能である。従って、凹部及び開口部は、結果として、挿入体の取り扱いがそれぞれの用途に適応するように個々に成形可能である。
【００２３】
挿入体は、折畳状態において略平坦な八角形状を有してもよい。従って、挿入体の折り目は、挿入体の操作性を向上するように設計可能である。
【００２４】
袋体は、上部と、下部と、を備え、上部は、開口部を備え、挿入体は、下部に配置可能である。言い換えれば、袋体は、上半分と、下半分と、を備えてもよい。特に、固形廃棄物によって袋体が損傷される可能性は、上部よりも下部において非常に高くなり、これは、固形廃棄物の重量により袋体にかかる圧力が袋体の上から下に増加するからである。従って、ほとんどの用途について、確実に袋体を保護するために、挿入体を下部又は下半分に配置するだけで十分である。
【００２５】
袋体は、開口部に対向する底部を更に備え、挿入体は、底部に配置可能である。従って、挿入体によって、袋体の最も重要な部分が確実に保護される。
【００２６】
挿入体は、袋体に固定可能である。従って、損傷し得る袋体の任意の重要な部分を露出させる可能性がある、挿入体の袋体に対する移動を防止可能である。
【００２７】
挿入体は、接着剤で袋体に固定可能である。従って、挿入体は、既知の手段によって袋体に確実にかつ容易に固定可能である。
【００２８】
袋体は、オートクレーブ処理が可能である材料から作られ、挿入体は、被覆ボール紙又はプラスチック材料から作られてもよい。医療固形廃棄物等の実験室固形廃棄物をオートクレーブ処理する必要がある場合に、固形廃棄物用袋ユニット全体がオートクレーブ処理可能である。
【００２９】
挿入体は、箱体であってもよい。従って、挿入体は、固形廃棄物を受けるために理想的に設計可能である。
【００３０】
本発明によれば、分析器は、消耗品を使用するように構成された分析装置と、上述の固形廃棄物用袋ユニットと、を備える。
【００３１】
分析器は、コンパートメントを更に備え、固形廃棄物用袋ユニットは、コンパートメント内部に設置可能である。従って、本発明の固形廃棄物用袋ユニットは、挿入体を備えない従来の固形廃棄物用袋として使用可能である。
【００３２】
分析器は、分析装置を少なくとも部分的に収容するように構成されたケーシングを更に備え、コンパートメントは、ケーシング内部又はそれに隣接して配置可能である。従って、固形廃棄物は、ケーシング内部又はその近くで容易に除去可能である。その結果、固形廃棄物用袋ユニット及びその内部の固形廃棄物は、分析器の周囲に晒されず、いずれの生物学的危害も最小化される。
【００３３】
コンパートメントは、中空ブロックとして実質的に形成可能である。従って、袋体は、袋体の受取容量を最大化するようにコンパートメントに対して接合可能である。
【００３４】
ブロックは、略円筒状又は矩形状に形成可能である。従って、ブロックは、最大容量でそれぞれの用途に対して個々に設計及び適応可能である。
【００３５】
コンパートメントは、固形廃棄物用袋ユニットをコンパートメント内部に配置できる挿入開口部を備えてもよい。従って、固形廃棄物用袋ユニットは、コンパートメント内部に容易に設置可能である。
【００３６】
コンパートメントは、枠体であってもよい。従って、固形廃棄物用袋ユニットに対して剛性を付与する構成部材となるために、密閉要素としてコンパートメントを設計する必要はない。
【００３７】
挿入体は、コンパートメントに対して正確に嵌合又は滑合するような寸法を有してもよい。従って、挿入体は、コンパートメントの形状に適応可能であり、コンパートメントの全容量を固形廃棄物の受け取りに使用可能である。
【００３８】
分析器は、固形廃棄物用袋ユニットの充填状態を検出するように構成されたセンサを更に備えてもよい。従って、固形廃棄物用袋ユニットに対する過負荷を防止可能である。
【００３９】
本発明によれば、分析器の固形廃棄物の除去方法は、以下のステップを、特に以下の所与の順番で含む：
−  上述の固形廃棄物用袋ユニットを設けるステップと、
−  分析器のコンパートメント内部に固形廃棄物用袋ユニットを設置するステップと、
−  固形廃棄物用袋ユニット内部に固形廃棄物を収集するステップと、
−  固形廃棄物用袋ユニットが少なくとも部分的に充填されているときに、コンパートメントから固形廃棄物用袋ユニットを取り外すことによって固形廃棄物を除去するステップ。
【００４０】
挿入体は、折り畳み可能であり、挿入体は、固形廃棄物用袋ユニットが設けられているときには折畳状態にあり、本方法は、挿入体を展開するステップを更に含んでもよい。
【００４１】
挿入体は、固形廃棄物用袋ユニットがコンパートメント内部に設置されているとき、又はその設置中に展開可能である。
【００４２】
本発明の認定を要約すれば、以下の実施形態が開示されている：
実施形態１：分析器の固形廃棄物用の固形廃棄物用袋ユニットであって、
袋体と、
挿入体と、を備え、
挿入体は、袋体内部に配置される。
【００４３】
実施形態２：挿入体は、折り畳み可能である、実施形態１に記載の固形廃棄物用袋ユニット。
【００４４】
実施形態３：袋体は、可撓性材料から作られる、実施形態２に記載の固形廃棄物用袋ユニット
【００４５】
実施形態４：挿入体は、固形廃棄物用袋ユニットが最低容量で折り畳み可能となるように折り畳み可能である、実施形態２又は３に記載の固形廃棄物用袋ユニット。
【００４６】
実施形態５：挿入体は、前側壁部と、後側壁部と、２つの側壁部と、を備え、
前側壁部及び後側壁部は、展開状態において互いに対向し、
２つの側壁部は、展開状態において互いに対向する、実施形態２乃至４のいずれか１つに記載の固形廃棄物用袋ユニット。
【００４７】
実施形態６：前側壁部及び後側壁部は、それぞれ、接続壁部により側壁部に接続される、実施形態５に記載の固形廃棄物用袋ユニット。
【００４８】
実施形態７：挿入体は、底部を更に備え、
挿入体は、折畳状態において、前側壁部及び後側壁部が底部上に配置され、側壁部が底部に隣接して配置されるように、折り畳み可能である、実施形態５又は６に記載の固形廃棄物用袋ユニット。
【００４９】
実施形態８：前側壁部、後側壁部、及び側壁部は、底部の中心部を押すことによって、折畳位置から展開位置に移動可能である、実施形態７に記載の固形廃棄物用袋ユニット。
【００５０】
実施形態９：前側壁部及び後側壁部は、それぞれ、凹部を備え、
凹部は、挿入体の折畳状態において開口部を形成し、
底部の中心部は、折畳状態において開口部から露出する、実施形態８に記載の固形廃棄物用袋ユニット。
【００５１】
実施形態１０：凹部は、矩形状、多角形状、又は半円状に形成される、実施形態９に記載の固形廃棄物用袋ユニット。
【００５２】
実施形態１１：挿入体は、折畳状態において略平坦な八角形状を有する、実施形態２乃至１０のいずれか１つに記載の固形廃棄物用袋ユニット。
【００５３】
実施形態１２：袋体は、上部と、下部と、を備え、
上部は、開口部を備え、
挿入体は、下部に配置される、実施形態１乃至１１のいずれか１つに記載の固形廃棄物用袋ユニット。
【００５４】
実施形態１３：袋体は、開口部に対向する底部を更に備え、
挿入体は、底部に配置される、実施形態１２に記載の固形廃棄物用袋ユニット。
【００５５】
実施形態１４：挿入体は、袋体に固定される、実施形態１乃至１３のいずれか１つに記載の固形廃棄物用袋ユニット。
【００５６】
実施形態１５：挿入体は、接着剤で袋体に固定される、実施形態１４に記載の固形廃棄物用袋ユニット。
【００５７】
実施形態１６：袋体は、オートクレーブ処理が可能である材料から作られ、
挿入体は、被覆ボール紙又はプラスチック材料から作られる、実施形態１乃至１５のいずれか１つに記載の固形廃棄物用袋ユニット。
【００５８】
実施形態１７：固形廃棄物用袋ユニットは、オートクレーブ処理が可能である材料から作られ、
挿入体は、被覆ボール紙又はプラスチック材料から作られる、実施形態１乃至１５のいずれか１つに記載の固形廃棄物用袋ユニット。
【００５９】
実施形態１８：挿入体は、箱体である、実施形態１乃至１７のいずれか１つに記載の固形廃棄物用袋ユニット。
【００６０】
実施形態１９： 消耗品を使用するように構成された分析装置と、
実施形態１乃至１８のいずれか１つに記載の固形廃棄物用袋ユニットと、を備える分析器。
【００６１】
実施形態２０：コンパートメントを更に備え、
固形廃棄物用袋ユニットは、コンパートメント内部に設置される、実施形態１９に記載の分析器。
【００６２】
実施形態２１：分析装置を少なくとも部分的に収容するように構成されたケーシングを更に備え、
コンパートメントは、ケーシング内部又はそれに隣接して配置される、実施形態２０に記載の分析器。
【００６３】
実施形態２２：コンパートメントは、中空ブロックとして実質的に形成される、実施形態２０又は２１に記載の分析器。
【００６４】
実施形態２３：ブロックは、略円筒状又は矩形状に形成される、実施形態２２に記載の分析器。
【００６５】
実施形態２４：コンパートメントは、固形廃棄物用袋ユニットがコンパートメント内部に配置される挿入開口部を備える、実施形態２０乃至２３のいずれか１つに記載の分析器。
【００６６】
実施形態２５：コンパートメントは、枠体である、実施形態２０乃至２４のいずれか１つに記載の分析器。
【００６７】
実施形態２６：挿入体は、コンパートメントに対して正確に嵌合又は滑合するような寸法を有する、実施形態２０乃至２５のいずれか１つに記載の分析器。
【００６８】
実施形態２７：固形廃棄物用袋ユニットの充填状態を検出するように構成されたセンサを更に備える、実施形態１９乃至２６のいずれか１つに記載の分析器。
【００６９】
実施形態２８：分析器の固形廃棄物の除去方法であって、
−  実施形態１乃至１８のいずれか１つに記載の固形廃棄物用袋ユニットを設けるステップと、
−  分析器のコンパートメント内部に固形廃棄物用袋ユニットを設置するステップと、
−  固形廃棄物用袋ユニット内部に固形廃棄物を収集するステップと、
−  固形廃棄物用袋ユニットが少なくとも部分的に充填されているときに、コンパートメントから固形廃棄物用袋ユニットを取り外すことによって固形廃棄物を除去するステップと、を含む方法。
【００７０】
実施形態２９：挿入体は、折り畳み可能であり、挿入体は、固形廃棄物用袋ユニットが設けられているときには折畳状態にあり、本方法は、挿入体を展開するステップを更に含む、実施形態２８に記載の方法。
【００７１】
実施形態３０：挿入体は、固形廃棄物用袋ユニットがコンパートメント内部に設置されているときに展開される、実施形態２９に記載の方法。
【００７２】
本発明の更なる特徴及び実施形態が、好ましくは従属請求項と併せて、後述の実施形態の説明において更に詳細に開示される。各特徴は、当業者によって認識されるように、単独で実現可能であると共に、任意の実行可能な組み合わせでも実現可能である。実施形態は、図において概略的に示される。これらの図において、同一の符号は、同一の要素、又は機能的に同一な要素を示す。
【図面の簡単な説明】
【００７３】
【図１】挿入体の斜視図である。
【図２】挿入体の更なる斜視図である。
【図３】挿入体の平面図である。
【図４】固形廃棄物用袋ユニットの斜視図である。
【図５】分析器の斜視図である。
【図６】分析器の更なる斜視図である。
【発明を実施するための形態】
【００７４】
図１は、挿入体１００の斜視図を示す。挿入体１００は、箱体１０２である。挿入体１００は、ボール紙又はプラスチック材料から作られる。一実施形態において、挿入体１００は、被覆ボール紙材料から作られる。挿入体１００は、折り畳み可能である。図１は、展開状態の挿入体１００を示す。展開状態において、挿入体１００は、以下で更に詳細に説明されるように、片側が開いた略切り石状又はする略矩形状に形成される。挿入体１００は、前側壁部１０４と、後側壁部１０６と、２つの側壁部１０８と、を備える。前側壁部１０４及び後側壁部１０６は、展開状態において互いに対向する。更に、２つの側壁部１０８は、展開状態において互いに対向する。前側壁部１０４及び後側壁部１０６は、それぞれ、接続壁部１１０により側壁部１０８に接続される。各側壁部１０８は、前側壁部１０４及び後側壁部１０６それぞれよりも大きくてもよい。前側壁部１０４及び後側壁部１０６は、矩形状である。接続壁部１１０は、三角形状である。挿入体１００は、底部１１２を更に備える。従って、挿入体１００は、展開状態において、開いた頂部１１４を備える。
【００７５】
前側壁部１０４と、後側壁部１０６と、２つの側壁部１０８と、接続壁部１１０と、底部１１２との間にそれぞれ形成される接続線１１６は、折り目として機能する。前側壁部１０４及び後側壁部１０６は、それぞれ、凹部１１８を備える。凹部１１８は、矩形状、多角形状、又は半円状に形成される。図１に示す例示的実施形態において、凹部１１８は、半円状に形成される。
【００７６】
図２は、挿入体１００の更なる斜視図を示す。特に、図２は、折畳状態の挿入体１００を示す。挿入体１００は、接続線１１６により折り畳み可能であることによって、折畳状態において、前側壁部１０４及び後側壁部１０６は底部１１２上に配置され、側壁部１０８は底部１１２に隣接して配置される。言い換えれば、前側壁部１０４及び後側壁部１０６は、底部１１２上に配置されるように内方に折り畳み可能である一方、側壁部１０８は、底部に隣接又は近接して配置されるように外方に折り畳み可能である。従って、挿入体１００は、折畳状態において、略平坦な八角形状を有する。
【００７７】
図３は、挿入体１００の平面図を示す。特に、図３は、折畳状態の挿入体１００を示す。前側壁部１０４、後側壁部１０６、及び側壁部１０８は、底部１１２の中心部１２０を押すことによって、折畳位置から展開位置に移動可能である。凹部１１８は、挿入体１００の折畳状態において開口部１２２を構成する。底部１１２の中心部１２０は、折畳状態において開口部１２２から露出する。従って、中心部１２０は、例えば人間の手によって開口部１２２を通じて押されてもよい。中心部１２０が開口部１２２を通じて押されるときに、結果として生じる力は、底部１１２の角部１２４に隣接する挿入体の部分に対して矢印１２６で示す方向に外方に働く。このような力によって、前側壁部１０４、後側壁部１０６、及び側壁部１０８が、以下で更に詳細に説明するように、展開位置に移動する。
【００７８】
図４は、固形廃棄物用袋ユニット１２８の斜視図である。固形廃棄物用袋ユニット１２８は、袋体１３０と、挿入体１００と、を備える。袋体１３０は、可撓性材料から作られる。袋体１３０の材料は、オートクレーブ処理が可能である。例えば、袋体１３０は、ポリエチレン又はポリプロピレンから作られる。袋体１３０は、上部１３２と、下部１３４と、を備える。上部１３２は、開口部１３６を備える。袋体１３０は、開口部１３６と対向する底部１３８を更に備える。挿入体１００は、袋体１３０内部に配置される。特に、挿入体１００は、下部１３４に配置される。とりわけ、挿入体１００は、底部１３８に配置される。挿入体１００は、袋体１３０に固定される。挿入体１００は、接着剤により袋体１３０に固定される。袋体１３０が可撓性材料から作られ、挿入体１００が折り畳み可能であるため、固形廃棄物用袋ユニット１２８は、最小容量で折り畳み可能である。尚、図４は、膨張状態の袋体１３０、及び折畳状態の挿入体１００を示す。
【００７９】
図５は、分析器１４０の斜視図である。分析器１４０は、消耗品（不図示）及び固形廃棄物用袋ユニット１２８を使用するように構成された分析装置１４２を備える。分析装置１４２は、試料の調製及び分析等の処理を行うことを可能とする試料処理装置と、試料をピペットで取ることを可能とするピペット装置と、を備えてもよい。従って、消耗品は、試料を含む試料容器が設けられるピペット先端又はラックであってもよい。分析器１４０は、コンパートメント１４４を更に備える。コンパートメント１４４は、中空ブロック１４６として実質的に形成される。特に、ブロック１４６は、略円筒状又は矩形状に形成される。例えば、コンパートメント１４４は、枠体である。固形廃棄物用袋ユニット１２８は、コンパートメント１４４内部に設置される。従って、コンパートメント１４４は、挿入開口部１４８を備え、挿入開口部１４８を通じて、固形廃棄物用袋ユニット１２８がコンパートメント１４４内部に設置される。挿入体１００は、コンパートメント１４４に対して正確に嵌合又は滑合するような寸法を有する。分析器１４０は、分析装置１４２を少なくとも部分的に収容するように構成されたケーシング１５０を更に備える。コンパートメント１４４は、ケーシング１５０内部、又はそれに隣接して配置される。任意に、分析器１４０は、固形廃棄物用袋ユニット１２８の充填状態を検出するように構成されたセンサ１５２を更に備えてもよい。センサ１５２は、充填状態を検出するように構成された光学センサであってもよい。例えば、光学センサは、固形廃棄物用袋ユニット１２８内の固形廃棄物の所定レベルを検出する光バリアに接続可能である。従って、袋体１３０は、光が袋体１３０を伝搬可能となるように、透明であってもよい。その代わりに、センサ１５２は、固形廃棄物用袋ユニット１２８及びその内部の固形廃棄物の重量によって充填状態を検出する重量センサであってもよい。図５は、コンパートメント１４４内部に設置される直前の固形廃棄物用袋ユニット１２８を示す。この状態において、袋体１３０が膨張されると同時に、挿入体１００が折畳状態にある。固形廃棄物用袋ユニット１２８は、その底部１３８がコンパートメント１４４の挿入開口部１４８上にある状態で配置される。
【００８０】
図６は、分析器１４０の更なる斜視図を示す。特に、図６は、コンパートメント１４４内部への設置工程中における固形廃棄物用袋ユニット１２８を示す。従って、固形廃棄物用袋ユニット１２８は、例えば分析器１４０の操作者によって、挿入開口部１４８を通じてコンパートメント１４４内に移動される。挿入工程中、中心部１２０は、例えば操作者の手によって、開口部１２２を通じて押される。これによって、底部１１２は、前側壁部１０４、後側壁部１０６、及び側壁部１０８よりも挿入方向下方に更に押圧される。袋体１２８がコンパートメント１４４の内面に接すると、そこに摩擦力が働く。押力及び摩擦力から生じる力は、底部１１２の角部１２４に隣接する挿入体１００の部分に対して矢印１２６で示す方向に外方に働く。このような力によって、前側壁部１０４、後側壁部１０６、及び側壁部１０８が、図６に示すように真っすぐになるように、展開状態に移動する。そして、固形廃棄物用袋ユニット１２８は、コンパートメント１４４内部に完全に設置される。この状態において、袋体１２８の底部１３８は、コンパートメント１４４の底部１５４に接触する。
【００８１】
コンパートメント１４４内部への固形廃棄物用袋ユニット１２８の設置は、分析器１４０の固形廃棄物の除去方法の一部であってもよい。この方法によれば、固形廃棄物用袋ユニット１２８には、上述のように、折畳状態の挿入体１００が設けられ、固形廃棄物用袋ユニット１２８は、コンパートメント１４４内部に設置される。固形廃棄物用袋ユニット１２８がコンパートメント１４４内部に設置されるときに、挿入体１００は、上述のように展開される。そして、分析装置１４２は、その使用準備が完了し、固形廃棄物を固形廃棄物用袋ユニット１２８内部に収集可能となる。固形廃棄物用袋ユニット１２８が少なくとも部分的に充填されているときには、固形廃棄物用袋ユニット１２８をコンパートメント１４４から取り外すことによって、固形廃棄物が分析器１４０から除去可能である。従って、固形廃棄物用袋ユニット１２８は、それがコンパートメント１４４内に挿入される方向とは反対の方向に移動する。続いて、固形廃棄物を含む固形廃棄物用袋ユニット１２８がオートクレーブ処理可能である。
【符号の説明】
【００８２】
１００  挿入体
１０２  箱体
１０４  前側壁部
１０６  後側壁部
１０８  側壁部
１１０  接続壁部
１１２  底部
１１４  頂部
１１６  接続線
１１８  凹部
１２０  中心部
１２２  開口部
１２４  角部
１２６  矢印
１２８  固形廃棄物用袋ユニット
１３０  袋体
１３２  上部
１３４  下部
１３６  開口部
１３８  底部
１４０  分析器
１４２  分析装置
１４４  コンパートメント
１４６  ブロック
１４８  挿入開口部
１５０  ケーシング
１５２  センサ
１５４  底部
【図１】
2017197290.tif 000003
【図２】
2017197290.tif 000004
【図３】
2017197290.tif 000005
【図４】
2017197290.tif 000006
【図５】
2017197290.tif 000007
【図６】
2017197290.tif 000008
【外国語明細書】
2017197290000001.pdf